(57)【要約】  空気調和機の保護回路は、交流電源（１０）と空気調和機の制御回路（３）との間に接続されたリレー（２１，２２）と、交流電源（１０）とリレー（２１，２２）との間の端子（５１，５２）において交流電源（１０）の電圧を検出する電圧検出部と、電圧検出部が検出した検出電圧が下限値と上限値により定められた範囲に入っているか否かを判定する判定部と、検出電圧が範囲にないときは、リレー（２１，２２）をオフ状態にして交流電源（１０）と制御回路（３）との接続を遮断させる制御部と、を備える。
2017094151.tif 000002
【特許請求の範囲】
【請求項１】
交流電源と空気調和機の制御回路との間に接続されたリレーと、
前記交流電源と前記リレーとの間の端子において前記交流電源の電圧を検出する電圧検出部と、
前記電圧検出部が検出した検出電圧が下限値と上限値により定められた範囲に入っているか否かを判定する判定部と、
前記検出電圧が前記範囲にないときは、前記リレーをオフ状態にして前記交流電源と前記制御回路との接続を遮断させる制御部と、
を備えることを特徴とする空気調和機の保護回路。
【請求項２】
前記リレーは、前記交流電源の両端に接続されて２つ設けられている
ことを特徴とする請求項１に記載の空気調和機の保護回路。
【請求項３】
交流電源と空気調和機の制御回路との間に接続されたリレーを備えた保護回路において、
前記交流電源と前記リレーとの間の端子において前記交流電源の電圧を検出して検出電圧を出力するステップと、
前記検出電圧が下限値と上限値により定められた範囲に入っているか否かを判定するステップと、
前記検出電圧が前記範囲にないときは、前記リレーをオフ状態にして前記交流電源と前記制御回路との接続を遮断させるステップと、
を含むことを特徴とする空気調和機の保護方法。
【請求項４】
前記リレーは、前記交流電源の両端に接続されて２つ設けられている
ことを特徴とする請求項３に記載の空気調和機の保護方法。
【発明の詳細な説明】
【技術分野】
【０００１】
本発明は、空気調和機を異常電圧から保護する空気調和機の保護回路および保護方法に関する。
【背景技術】
【０００２】
空気調和機の制御においては、機器の各部を任意の周波数で制御するために、商用交流電源を整流し、直流に変換した後、さらに交流に変換するインバータ回路が用いられる。このような機器では、空気調和機が入力電圧の異常に直接さらされるおそれがある。【０００３】
これに対して、過電流検出回路を用いて一定の電圧以上を検知し、スイッチング素子を停止させて、これによりパワー部品の保護を行う技術が提案されている(特許文献１を参照)。
【先行技術文献】
【特許文献】
【０００４】
【特許文献１】特開２００１−２４１７３２号公報
【発明の概要】
【発明が解決しようとする課題】
【０００５】
しかし、従来の技術においては、入力電圧の不足があった場合、空気調和機の制御回路あるいはアクチュエータに異常電圧が印加されてしまい、それらの誤動作による故障につながるといった問題点があった。すなわち、不足電圧に対する保護ができないといった問題点があった。【０００６】
本発明は、上記に鑑みてなされたものであって、異常電圧に対する空気調和機の保護および保護後の回路の復帰が可能となる空気調和機の保護回路を得ることを目的とする。
【課題を解決するための手段】
【０００７】
上述した課題を解決し、目的を達成するために、本発明は、交流電源と空気調和機の制御回路との間に接続されたリレーと、交流電源とリレーとの間の端子において交流電源の電圧を検出する電圧検出部と、を備えることを特徴とする。本発明は、電圧検出部が検出した検出電圧が下限値と上限値により定められた範囲に入っているか否かを判定する判定部と、検出電圧が範囲にないときは、リレーをオフ状態にして交流電源と制御回路との接続を遮断させる制御部と、をさらに備えることを特徴とする。
【発明の効果】
【０００８】
本発明に係る空気調和機の保護回路は、異常電圧に対する空気調和機の保護および保護後の回路の復帰が可能になるという効果を奏する。
【図面の簡単な説明】
【０００９】
【図１】本発明の実施の形態１にかかる空気調和機の保護回路の構成を示すブロック図
【図２】実施の形態１にかかる電圧検出回路の機能構成を示すブロック図
【図３】実施の形態１にかかるマイクロコンピュータの構成を示すブロック図
【図４】実施の形態１にかかる空気調和機の保護方法を示すフローチャート
【発明を実施するための形態】
【００１０】
以下に、本発明の実施の形態に係る空気調和機の保護回路および保護方法を図面に基づいて詳細に説明する。なお、この実施の形態によりこの発明が限定されるものではない。
【００１１】
実施の形態１．
図１は、本発明の実施の形態１にかかる空気調和機の保護回路１５の構成を示すブロック図である。図２は、実施の形態１にかかる電圧検出回路１の機能構成を示すブロック図である。図３は、実施の形態１にかかるマイクロコンピュータ１００の構成を示すブロック図である。図４は、実施の形態１にかかる空気調和機の保護方法を示すフローチャートである。
【００１２】
図１に示すように、空気調和機の保護回路１５は、商用の交流電源１０の電圧を検出する電圧検出回路１と、交流電源１０と制御回路３との間に接続されるリレー２１，２２と、を備える。ここで、電圧検出回路１は、交流電源１０の電圧を制御回路３とリレー２１，２２との間ではなく、交流電源１０から直接検出している。即ち、交流電源１０とリレー２１との間の端子５１と交流電源１０とリレー２２との間の端子５２との間で交流電源１０の電圧を検出する。制御回路３は、空気調和機の制御回路であり、ファンモータ４といった空気調和機のアクチュエータを制御する。制御回路３は、リレー２１，２２により交流電源１０の異常電圧から保護される。
【００１３】
電圧検出回路１は、検出した検出電圧に基づいて、リレー２１，２２がオン状態またはオフ状態のいずれの状態になるかを制御する。リレー２１，２２がオン状態のときに、交流電源１０と制御回路３とは接続され、リレー２１，２２がオフ状態のときに、交流電源１０と制御回路３との接続は遮断される。具体的には、電圧検出回路１はリレー２１の端子Ｘ１およびリレー２２の端子Ｘ２を制御することにより、リレー２１，２２それぞれのオン状態またはオフ状態を切替える。
【００１４】
図２に示すように、電圧検出回路１は、交流電源１０の電圧を検出して検出電圧を出力する電圧検出部１１と、検出電圧が予め定められた範囲に入っているか否かを判定する判定部１２と、判定部１２の判定結果に基づいてリレー２１，２２を制御する制御部１３と、を備える。したがって、制御部１３は、リレー２１の端子Ｘ１およびリレー２２の端子Ｘ２を制御する。
【００１５】
電圧検出回路１の判定部１２および制御部１３は、具体的には、図３に示すような構成のマイクロコンピュータ１００で実現される。マイクロコンピュータ１００は、演算および制御を実行するＣＰＵ（Ｃｅｎｔｒａｌ  Ｐｒｏｃｅｓｓｉｎｇ  Ｕｎｉｔ）１０１と、ＣＰＵ１０１がワークエリアに用いるＲＡＭ（Ｒａｎｄｏｍ  Ａｃｃｅｓｓ  Ｍｅｍｏｒｙ）１０２と、プログラムおよびデータを記憶するＲＯＭ（Ｒｅａｄ  Ｏｎｌｙ  Ｍｅｍｏｒｙ）１０３と、外部と信号をやりとりするハードウェアであるＩ／Ｏ（Ｉｎｐｕｔ／Ｏｕｔｐｕｔ）１０４と、クロックを生成する発振子を含む周辺装置１０５と、を備える。
【００１６】
具体的には、図２の判定部１２および制御部１３の機能は、ＲＯＭ１０３に記憶されるソフトウェアをＣＰＵ１０１がＲＡＭ１０２に展開して実行することにより実現される。従って、リレー２１の端子Ｘ１およびリレー２２の端子Ｘ２は、ソフトウェアを実行するＣＰＵ１０１によりＩ／Ｏ１０４を介して制御される。ただし、電圧検出回路１の実現方法は、上記のようなマイクロコンピュータ１００を用いた構成ではなくてもかまわない。
【００１７】
次に、実施の形態１にかかる空気調和機の保護方法を実現する動作について、図４のフローチャートを用いて説明する。
【００１８】
まず、電圧検出部１１が交流電源１０の電圧を端子５１と端子５２との間で検出して検出電圧Ｖを出力する（ステップＳ１）。
【００１９】
次に、判定部１２は、電圧検出部１１が検出した検出電圧Ｖが、下限値Ｖ１と上限値Ｖ２（＞Ｖ１）とにより定められた範囲に入るか否かを判定する（ステップＳ２）。すなわち、Ｖ１≦Ｖ≦Ｖ２が成り立つか否かが判定部１２により判定される。検出電圧ＶがＶ２を超えると、制御回路３の内部にある電源回路またはファンモータ４といった空気調和機のアクチュエータに異常電圧が印加されてしまい、それらの破壊につながるおそれがある。また、検出電圧ＶがＶ１より小さい場合も、制御回路３の機能不全により誤動作が生じ空気調和機の故障につながるおそれがある。
【００２０】
したがって、検出電圧Ｖが下限値Ｖ１と上限値Ｖ２とにより定められた範囲に入らない場合（ステップＳ２：Ｎｏ）は、制御部１３はリレー２１，２２をオフ状態（ステップＳ３）にする。これにより、制御回路３は交流電源１０の異常電圧から保護される。一方、検出電圧Ｖが下限値Ｖ１と上限値Ｖ２とにより定められた範囲に入る場合（ステップＳ２：Ｙｅｓ）は、制御部１３はリレー２１，２２をオン状態（ステップＳ４）にする。これにより、制御回路３は交流電源１０により通電される。
【００２１】
以上のように、実施の形態１に係る空気調和機の保護回路および保護方法によれば、商用電源の電圧が定められた範囲に入るか否かに基づいて異常電圧を感知し、リレーのオン状態またはオフ状態を判断する。これにより、異常電圧によって引き起こされるアクチュエータ、制御回路およびその内部の電源回路の破壊または誤動作を防止することができる。
【００２２】
また、実施の形態１に係る空気調和機の保護回路および保護方法によれば、制御回路３に印加される電圧でなく交流電源１０の電圧を直接測定して、リレー２１，２２を制御する。すなわち、交流電源１０とリレー２１，２２との間で測定して得た電圧に基づいてリレー２１，２２を制御する。これにより、制御の遅れ時間を考慮すると、交流電源１０が異常電圧になった場合に、当該異常電圧が制御回路３に印加されるのをより確実に防ぐことが可能となる。
【００２３】
また、実施の形態１に係る空気調和機の保護回路および保護方法によれば、ヒューズを用いた保護に比べて保護後に直ちに回路を復帰させることが可能である。
【００２４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２５】
１  電圧検出回路、３  制御回路、４  ファンモータ、１０  交流電源、１１  電圧検出部、１２  判定部、１３  制御部、１５  空気調和機の保護回路、２１，２２  リレー、５１，５２  端子、１００  マイクロコンピュータ、１０１  ＣＰＵ、１０２  ＲＡＭ、１０３  ＲＯＭ、１０４  Ｉ／Ｏ、１０５  周辺装置。
【図１】
2017094151.tif 000003
【図２】
2017094151.tif 000004
【図３】
2017094151.tif 000005
【図４】
2017094151.tif 000006
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
交流電源と空気調和機のアクチュエータを制御する制御回路との間に接続されたリレーと、
前記交流電源と前記リレーとの間の端子において前記交流電源の電圧を検出する電圧検出部と、
前記電圧検出部が検出した検出電圧が下限値と上限値により定められた範囲に入っているか否かを判定する判定部と、
前記検出電圧が前記範囲にないときは、前記リレーをオフ状態にして前記交流電源と前記制御回路との接続を遮断させる制御部と、
を備えることを特徴とする空気調和機の保護回路。
【請求項２】
前記リレーは、前記交流電源の両端に接続されて２つ設けられている
ことを特徴とする請求項１に記載の空気調和機の保護回路。
【請求項３】
交流電源と空気調和機のアクチュエータを制御する制御回路との間に接続されたリレーを備えた保護回路において、
前記交流電源と前記リレーとの間の端子において前記交流電源の電圧を検出して検出電圧を出力するステップと、
前記検出電圧が下限値と上限値により定められた範囲に入っているか否かを判定するステップと、
前記検出電圧が前記範囲にないときは、前記リレーをオフ状態にして前記交流電源と前記制御回路との接続を遮断させるステップと、
を含むことを特徴とする空気調和機の保護方法。
【請求項４】
前記リレーは、前記交流電源の両端に接続されて２つ設けられている
ことを特徴とする請求項３に記載の空気調和機の保護方法。
【手続補正２】
【補正対象書類名】明細書
【補正対象項目名】０００７
【補正方法】変更
【補正の内容】
【０００７】
上述した課題を解決し、目的を達成するために、本発明は、交流電源と空気調和機のアクチュエータを制御する制御回路との間に接続されたリレーと、交流電源とリレーとの間の端子において交流電源の電圧を検出する電圧検出部と、を備えることを特徴とする。本発明は、電圧検出部が検出した検出電圧が下限値と上限値により定められた範囲に入っているか否かを判定する判定部と、検出電圧が範囲にないときは、リレーをオフ状態にして交流電源と制御回路との接続を遮断させる制御部と、をさらに備えることを特徴とする。
【国際調査報告】
2017094151.tif 000007
2017094151.tif 000008
2017094151.tif 000009
2017094151.tif 000010